【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
基地局と移動局との間の通信チャネルを通じた無線伝送を特徴付けるチャネル情報のフィードバックのための方法であって：
移動局によって生成されるチャネル応答に関連付けられるクラスターを同定する一次識別子を受信する段階と；
前記一次識別子によって同定されるクラスター内のチャネル応答メンバーを同定する差分識別子を受信する段階と；
前記一次識別子および前記差分識別子によって同定される予め決定されたチャネル応答を、予め決定されたチャネル応答のコードブックにおいて位置特定する段階であって、前記コードブック中の予め決定されたチャネル応答は、ある相関基準に従って複数のクラスターにグループ化されており、各クラスターは予め決定されたチャネル応答メンバーを複数含む、段階と；
前記位置特定された予め決定されたチャネル応答に従って前記移動局への送信を制御する制御信号を生成する段階とを含む、
方法。
【請求項２】
前記一次識別子を受信する段階は、前記移動局をして、第一の時間期間の間に前記一次識別子を送信させることを含み、前記差分識別子を受信する段階は、前記移動局をして、前記第一の時間期間より後に現れる第二の時間期間の間に前記差分識別子を送信させることを含む、請求項１記載の方法。
【請求項３】
前記移動局をして、前記第一の時間期間の間に前記一次識別子を送信させることは、前記移動局をして、第一の所定の時間間隔だけ時間的に離間された複数の第一の時間期間において前記差分識別子を送信させることを含む、請求項２記載の方法。
【請求項４】
前記移動局をして前記差分識別子を送信させることは、前記移動局をして、第二の所定の時間間隔だけ時間的に離間された複数の第二の時間期間において差分識別子を送信させることを含み、前記第二の所定の時間間隔は前記第一の所定の時間間隔より短い、請求項３記載の方法。
【請求項５】
前記移動局をして前記差分識別子を送信させることは、前記移動局をして、相続く第一の時間期間どうしの間で、所定の時間間隔だけ時間的に離間された複数の第二の時間期間の間に前記差分識別子を送信させることを含む、請求項４記載の方法。
【請求項６】
前記移動局をして前記差分識別子を送信させることは、前記移動局をして、前記差分識別子の送信のための基準が満たされるときに前記差分識別子を送信させることを含む、請求項２記載の方法。
【請求項７】
前記コードブックがN1個のクラスターを含み、各クラスターはN2個のメンバーを含み、前記移動局をして前記一次識別子および前記差分識別子を送信させることは、前記移動局をして、同数のビットをもつ一次識別子および差分識別子を送信させることを含む、請求項１記載の方法。
【請求項８】
前記コードブック中の各クラスターは、ある予め決定された一次チャネル応答に関連付けられ、クラスター中の各メンバーは、前記関連付けられた予め決定された一次チャネル応答からのそれぞれの差を定義する、請求項１記載の方法。
【請求項９】
基地局と移動局との間の通信チャネルを通じた無線伝送を特徴付けるチャネル情報のフィードバックのための方法であって：
前記移動局において受信される少なくとも一つの搬送波周波数についてのチャネル応答を判別する段階と；
判別されたチャネル応答に対する最も近いマッチである予め決定されたチャネル応答を、予め決定されたチャネル応答のコードブックにおいて位置特定する段階であって、前記コードブック中の予め決定されたチャネル応答は、ある相関基準に従って複数のクラスターにグループ化されており、各クラスターは予め決定されたチャネル応答メンバーを複数含む、段階と；
前記移動局をして、位置特定された予め決定されたチャネル応答に関連付けられたクラスターを同定する一次識別子を基地局に送信させる段階と；
前記移動局をして、前記一次識別子によって同定されるクラスター内で前記位置特定された予め決定されたチャネル応答メンバーを同定する差分識別子を送信させる段階とをも含む、
方法。
【請求項１０】
前記判別する段階が、相続く時間期間の間に前記チャネル応答を判別することを含み、前記位置特定する段階は、相続く時間期間のそれぞれについて、判別されたチャネル応答に対する最も近いマッチである予め決定されたチャネル応答を位置特定することを含み、  前記移動局をして前記一次識別子を送信させる段階は、前記移動局をして、第一の時間期間の間に前記一次識別子を送信させることを含み、
前記移動局をして前記差分識別子を送信させる段階は、前記移動局をして、前記第一の時間期間より後に現れる第二の時間期間の間に前記差分識別子を送信させることを含む、請求項９記載の方法。
【請求項１１】
前記移動局をして前記一次識別子を送信させることは、前記移動局をして、第一の所定の時間間隔だけ時間的に離間された複数の第一の時間期間において前記差分識別子を送信させることを含む、請求項１０記載の方法。
【請求項１２】
前記移動局をして前記差分識別子を送信させることは、前記移動局をして、第二の所定の時間間隔だけ時間的に離間された複数の第二の時間期間において差分識別子を送信させることを含み、前記第二の所定の時間間隔は前記第一の所定の時間間隔より短い、請求項１１記載の方法。
【請求項１３】
前記移動局をして前記差分識別子を送信させることは、前記移動局をして、相続く第一の時間期間どうしの間で、所定の時間間隔だけ時間的に離間された複数の第二の時間期間の間に前記差分識別子を送信させることを含む、請求項１２記載の方法。
【請求項１４】
前記移動局をして前記差分識別子を送信させることは、前記移動局をして、前記差分識別子の送信のための基準が満たされるときに前記差分識別子を送信させることを含む、請求項１１記載の方法。
【請求項１５】
前記差分識別子の送信のための前記基準は、前記基地局からの要求及び前記基地局によってなされる決定のうちの一つを含む、請求項１４記載の方法。
【請求項１６】
判別されたチャネル応答に対する最も近いマッチである予め決定されたチャネル応答が、前の第一の時間期間において前記基地局に送信された一次識別子によって同定されるクラスターに関連付けられていない場合に、前記移動局をして、新しい一次識別子を前記基地局に送信させる段階をさらに含む、請求項１０記載の方法。
【請求項１７】
前記コードブックはN1個のクラスターを含み、各クラスターはN2個のメンバーを含み、前記移動局をして前記一次識別子および前記差分識別子を送信させることは、前記移動局をして、同数のビットをもつ一次識別子および差分識別子を送信させることを含む、請求項９記載の方法。
【請求項１８】
前記コードブックにおける各クラスターはある予め決定された一次チャネル応答に関連付けられており、クラスター中の各メンバーは、前記関連付けられた予め決定された一次チャネル応答からのそれぞれの差を定義する、請求項９記載の方法。
【請求項１９】
基地局装置であって：
移動局から通信チャネルを通じて無線送信を受信する受信機と；
前記受信機と通信するプロセッサ回路とを有しており、前記プロセッサ回路は、ある相関基準に従って複数のクラスターにグループ化された予め決定されたチャネル応答のコードブックを記憶するコンピュータ可読媒体を有し、各クラスターは複数の予め決定されたチャネル応答メンバーを含み、前記プロセッサ回路は：
移動局によって生成されたチャネル応答に関連付けられたクラスターを同定する一次識別子を受信し；
前記一次識別子によって同定されるクラスター内でチャネル応答メンバーを同定する差分識別子を受信し；
前記クラスターおよび前記差分識別子によって同定される予め決定されたチャネル応答を、前記コードブック中で位置特定し；
前記位置特定された予め決定されたチャネル応答に応じて前記移動局への送信を制御するための制御信号を生成するよう動作可能に構成される、
装置。
【請求項２０】
移動局装置であって：
基地局から通信チャネルを通じて無線送信を受信する受信機と；
前記受信機と通信するプロセッサ回路とを有しており、前記プロセッサ回路は、ある相関基準に従って複数のクラスターにグループ化された予め決定されたチャネル応答のコードブックを記憶するコンピュータ可読媒体を有し、各クラスターは複数の予め決定されたチャネル応答メンバーを含み、前記プロセッサ回路は：
前記受信機において受信される少なくとも一つの搬送波周波数についてのチャネル応答を判別し；
判別されたチャネル応答に対する最も近いマッチである予め決定されたチャネル応答を、前記コードブック中で位置特定し；
位置特定された予め決定されたチャネル応答に関連付けられたクラスターを同定する一次識別子を前記基地局に送信し；
前記一次識別子によって同定されるクラスター内で前記位置特定された予め決定されたチャネル応答メンバーを同定する差分識別子を送信するよう動作可能に構成される、
装置。